(57)【要約】【課題】録音ファイルの検索性の向上を図る。【解決手段】記録再生装置では、録音ファイルを生成する際に、表示部３０において設定画面上に録音ファイルの分類を選択的に表示する。ＣＰＵ１１では前記選択的に表示された分類のうち、何れかの分類が操作部４０を介して選択操作されると、その選択された分類を示す分類情報を生成する。一方、データ処理部１７において録音ファイルを生成すると、ＣＰＵ１１はこの録音ファイルを記憶部２０に記憶させるとともに、この録音ファイルと前記生成された分類情報と対応付けて記憶部２０の管理テーブルに記憶させる。【選択図】図１
2008108060.tif 000002
【特許請求の範囲】
【請求項１】
録音ファイルを生成するファイル生成手段と、
前記録音ファイルを生成する際に、録音ファイルの分類を選択的に表示する表示手段と、
前記選択的に表示された分類のうち、何れかの分類を選択操作するための操作手段と、
前記操作手段を介して選択された分類を示す分類情報を生成する分類情報生成手段と、
前記生成された録音ファイルを、前記生成された分類情報に対応付ける制御手段と、
を備えることを特徴とする記録再生装置。
【請求項２】
前記制御手段は、前記録音ファイルを格納するためのフォルダとして、前記分類情報に基づいて録音ファイルの分類に応じたフォルダを作成し、当該フォルダにその分類情報を対応付けることを特徴とする請求項１に記載の記録再生装置。
【請求項３】
前記分類情報は、録音ファイルを階層的に分類したその分類を示すことを特徴とする請求項１又は２に記載の記録再生装置。
【請求項４】
録音ファイルを生成するファイル生成工程と、
前記録音ファイルを生成する際に、録音ファイルの分類を選択的に表示する表示工程と、
前記選択的に表示された分類のうち、操作手段を介して何れかの分類が選択操作されると、当該選択された分類を示す分類情報を生成する分類情報生成工程と、
前記生成された録音ファイルを、前記生成された分類情報に対応付ける制御工程と、
を含むことを特徴とする録音ファイルの生成方法。
【請求項５】
前記制御工程では、前記録音ファイルを格納するためのフォルダとして、前記分類情報に基づいて録音ファイルの分類に応じたフォルダを作成し、当該フォルダにその分類情報を対応付けることを特徴とする請求項４に記載の録音ファイルの生成方法。
【請求項６】
前記分類情報は、録音ファイルを階層的に分類したその分類を示すことを特徴とする請求項４又は５に記載の録音ファイルの生成方法。
【発明の詳細な説明】
【技術分野】
【０００１】
本発明は、録音機能を有する記録再生装置及び録音機能により生成された録音ファイルの生成方法に関する。
【背景技術】
【０００２】
近年、大容量のメモリやハードディスク等を搭載したポータブルの記録再生装置が普及している。この記録再生装置は、ＰＣ（パーソナルコンピュータ）から転送されたＭＰ３（MPEG Audio Layer-3）ファイルやＷＭＡ（Windows（登録商標） Media Audio）ファイル等のデータファイル（音楽ファイル、画像ファイル等）を再生するものである。
【０００３】
上記のようなＭＰ３ファイルやＷＭＡファイルの場合、付加情報が付加されている場合が多い。例えば、音楽ファイルであればアーティスト名やアルバム名、ジャンル名等の分類についての分類情報が付加されている。記録再生装置では、音楽ファイルの検索を容易とするため、上記のようなデータ形式の音楽ファイルから付加情報を取得し、当該付加情報を検索用に用いるＧＵＩ（Graphical User Interface）機能を備えている。
【０００４】
図９を参照して、下記の付加情報を持つＭＰ３ファイルを検索する場合を説明する。
ファイル名：samplefile.mp3
アーティスト名：アーティストＣ
アルバム名：アルバムＡ
ジャンル名：ジャンルＢ
トラック名：トラックＤ
【０００５】
まず、記録再生装置では図９（ａ）に示す選択画面ｄ４１を表示する。選択画面ｄ４１では音楽ファイルの付加情報に基づいて「アーティスト」、「アルバム」、「ジャンル」の項目を一覧表示する。なお、「録音ファイル」は上記の録音機能を有する記録再生装置において生成した音楽ファイルを選択するための項目である。
【０００６】
ユーザは目的のＭＰ３ファイルをアーティストから検索したい場合には「アーティスト」の項目を、アルバムから検索したい場合には「アルバム」の項目を、ジャンルから検索したい場合には「ジャンル」を選択する。記録再生装置では、例えば「アーティスト」の項目が選択された場合には図９（ｂ）に示すようにアーティスト名の一覧表示を行い（選択画面ｄ４２）、「アルバム」が選択された場合には図９（ｃ）に示すようにアルバム名の一覧表示を行う（選択画面ｄ４３）。ユーザはこれら一覧の中から目的のＭＰ３ファイルに対応するアーティストＣ又はアルバムＡ等を選択すればよい。
【０００７】
アーティスト名等の選択がなされると、記録再生装置では選択されたアーティスト名に対応する音楽ファイル名の一覧や、図９（ｄ）に示す選択画面ｄ４４のようにアルバム名に対応するトラック名の一覧等を表示する。選択画面ｄ４４では、ユーザは一覧表示の中からトラックＤを選択することにより、目的のＭＰ３ファイルを再生することができる。
【０００８】
しかしながら、上記記録再生装置には、ケーブルを介して外部のオーディオ機器に接続することにより、そのオーディオ機器から出力される再生音（アナログデータ）を録音してそのデータファイル（録音ファイル）を生成し、記録再生装置内のメモリに保存することが可能なものもある。録音ファイル名は、例えば録音したものであることを示す識別情報「ＬＩＮＥ」と、録音順を示す数字とを組み合わせて、「ＬＩＮＥ００１」等のように設定される。
【０００９】
このような録音ファイルの場合、付加情報が付加されていないため、上記のような付加情報を用いた検索はできない。つまり、図９（ａ）に示す選択画面ｄ４１において「録音ファイル」の項目を選択すると、図９（ｅ）に示すように直接的に録音ファイル名を一覧表示することとなる（選択画面ｄ４５）。
【００１０】
従来からこれら録音ファイルを特定できるように、ルートディレクトリ名、サブディレクトリ名、ファイル名のようにファイルの保存場所までの経路を示す名称を組み合わせた新たなファイル名を生成し、上記録音ファイルのファイル名とする方法が開示されている（例えば、特許文献１参照）。
【特許文献１】特開２００２−９１８１４号公報
【発明の開示】
【発明が解決しようとする課題】
【００１１】
上記特許文献１に記載の方法では、ファイル名から個々の録音ファイルを識別でき、さらにそのファイルの保存されている階層も把握することが可能であるが、ユーザが録音ファイルを選択しやすくなるわけではない。つまり、録音ファイルの検索時にはやはり図９（ｅ）に示したように録音ファイル名を一覧表示し、この一覧の中からユーザが目的の録音ファイルを選択することとなる。付加情報が付加されている音楽ファイルのように、分類毎に表示されるわけではないため、録音ファイルの一覧で表示されるファイル数は多くなってしまい、目的の録音ファイルを探し出しづらくなる。
【００１２】
また、付加情報によって分類毎に一覧表示が行われる場合には、その分類から音楽ファイルの内容の見当がつき、ユーザが目的の音楽ファイルを直感的に検索しやすいものとなる。しかし、上記特許文献１によれば一覧表示される録音ファイル名が保存場所を示す情報であることから、録音ファイル名が一覧表示されるとそのファイル名から録音ファイルの内容をユーザが想定できず、検索しづらいものとなっていた。
【００１３】
本発明の課題は、録音ファイルの検索性の向上を図ることである。
【課題を解決するための手段】
【００１４】
請求項１に記載の発明は、記録再生装置において、
録音ファイルを生成するファイル生成手段と、
前記録音ファイルを生成する際に、録音ファイルの分類を選択的に表示する表示手段と、
前記選択的に表示された分類のうち、何れかの分類を選択操作するための操作手段と、
前記操作手段を介して選択された分類を示す分類情報を生成する分類情報生成手段と、
前記生成された録音ファイルを、前記生成された分類情報に対応付ける制御手段と、
を備えることを特徴とする。
【００１５】
請求項２に記載の発明は、請求項１に記載の記録再生装置において、
前記制御手段は、前記録音ファイルを格納するためのフォルダとして、前記分類情報に基づいて録音ファイルの分類に応じたフォルダを作成し、当該フォルダにその分類情報を対応付けることを特徴とする。
【００１６】
請求項３に記載の発明は、請求項１又は２に記載の記録再生装置において、
前記分類情報は、録音ファイルを階層的に分類したその分類を示すことを特徴とする。
【００１７】
請求項４に記載の発明は、録音ファイルの生成方法において、
録音ファイルを生成するファイル生成工程と、
前記録音ファイルを生成する際に、録音ファイルの分類を選択的に表示する表示工程と、
前記選択的に表示された分類のうち、操作手段を介して何れかの分類が選択操作されると、当該選択された分類を示す分類情報を生成する分類情報生成工程と、
前記生成された録音ファイルを、前記生成された分類情報に対応付ける制御工程と、
を含むことを特徴とする。
【００１８】
請求項５に記載の発明は、請求項４に記載の録音ファイルの生成方法において、
前記制御工程では、前記録音ファイルを格納するためのフォルダとして、前記分類情報に基づいて録音ファイルの分類に応じたフォルダを作成し、当該フォルダにその分類情報を対応付けることを特徴とする。
【００１９】
請求項６に記載の発明は、請求項４又は５に記載の録音ファイルの生成方法において、
前記分類情報は、録音ファイルを階層的に分類したその分類を示すことを特徴とする。
【発明の効果】
【００２０】
本発明によれば、録音ファイルを生成する際に、その録音ファイルの分類を示す分類情報を生成し、当該分類情報を録音ファイルに対応付ける。これにより、後に録音ファイルを検索する際には、分類情報を元に検索範囲を絞ることができ、ユーザに選択させるため一覧表示する録音ファイル数の減少を図ることができる。従って、目的の録音ファイルをユーザが選択しやすくすることができ、録音ファイルの検索性を向上させることができる。
【発明を実施するための最良の形態】
【００２１】
まず、構成を説明する。
図１に、本実施形態における記録再生装置１の構成を示す。
記録再生装置１は大容量メモリを備え、このメモリに保存された音データ（音楽データ等）を再生する携帯型の記録再生装置である。また、記録再生装置１は、外部機器と接続して当該外部機器から音信号（アナログ信号）を入力し、その音データファイル（以下、録音ファイルという）を生成してメモリに保存する録音機能を有している。
【００２２】
図１に示すように、記録再生装置１は制御部１０、記憶部２０、表示部３０、操作部４０、出力端子５０、入力端子６０を備えて構成されている。また、制御部１０は、ＣＰＵ（Central Processing Unit）１１、ＲＡＭ１２、ＲＯＭ（Read Only Memory）１３、割込コントローラ１４、Ｉ／Ｆ１５、Ｄ／Ａ変換器１６、データ処理部１７、Ａ／Ｄ変換器１８を備えて構成されている。
【００２３】
ＣＰＵ１１は、ＲＯＭ１３から制御プログラムを読み出してＲＡＭ１２に展開し、当該制御プログラムとの協働により、各部の動作を集中制御する。或いは、各種演算を行う。
【００２４】
ＲＡＭ１２は、データを一時記憶する作業用メモリである。
ＲＯＭ１３は、制御プログラム等の各種プログラム、プログラムの実行に必要なプログラムやデータを記憶している。
【００２５】
割込コントローラ１４は、操作部４０から操作信号が入力されると、ＣＰＵ１１の処理中に割込でその操作信号を出力するよう制御を行う。
【００２６】
Ｉ／Ｆ１５は、記憶部２０内のデータをやりとりするインターフェイスである。Ｉ／Ｆ１５は例えばＵＳＢ端子等が適用され、音データを管理するＰＣ等の外部機器にケーブルを介して接続されると、当該ＰＣから出力された音データを記憶部２０に出力する。
【００２７】
Ｄ／Ａ変換器１６は、データ処理部１７により入力される音データ（デジタル信号）を音信号（アナログ信号）に変換し、当該音信号を出力端子５０に出力する。
Ａ／Ｄ変換器１８は、入力端子６０から入力される音信号（アナログ信号）を音データ（デジタル信号）に変換し、当該音データをデータ処理部１７に出力する。
【００２８】
データ処理部１７は、ＣＰＵ１１の制御に従い、再生対象の音データが入力されると、これをＤ／Ａ変換器１６に出力する。また、保存対象の音データがＡ／Ｄ変換器１８から入力されると、これをＣＰＵ１１に出力する。
【００２９】
記憶部２０は、例えばハードディスク等の大容量メモリであり、記録再生装置１において再生対象となる音データをファイル化したもの（以下、単に音ファイルという）を、データベース化して記憶している。なお、記憶部２０は、外部メモリであってもよく、内蔵タイプやカード型等の可搬型のメモリであってもよい。
【００３０】
音ファイルには、もともと付加情報が付加されているものと、付加されていないものとがある。付加情報とは、トラック名、アルバム名、ジャンル名、アーティスト名等、音ファイルに関する情報をいう。もともと付加情報が付加されている音ファイルについてはその付加情報に基づいてデータベース化を行う。例えば、ジャンル毎にフォルダを作成し、各ジャンルに対応する音ファイルをそのフォルダに格納する等のデータベース化が可能である。
【００３１】
一方、録音ファイルについては、図２に示す管理テーブル２１を設け、当該管理テーブル２１によりデータベース化を行っている。
管理テーブル２１には、図２に示すように、録音ファイル名（例えば、「ＬＩＮＥ００１」等）とそのジャンルの分類情報（例えば、「ジャズ」等）とが対応付けて記憶されている。分類情報とは録音ファイルの分類を示すものであり、録音ファイルの生成時に生成されるものである。図２では録音ファイルをジャンルにより分類した分類情報の例を示している。
【００３２】
表示部３０は、ＬＣＤ（Liquid Crystal Display）等のディスプレイを備え、このディスプレイ上に各種操作画面を表示する。
【００３３】
操作部４０は、再生、再生停止、早戻し、早送り等の再生操作に係る各種ボタン等を備えて構成されている。操作部４０は、ユーザによって操作されたボタンに対応する操作信号を生成し、割込コントローラ１４に出力する。
【００３４】
出力端子５０は、スピーカーやヘッドフォン等の音出力機器と接続するための端子である。Ｄ／Ａ変換器１６から出力された音信号は出力端子５０を介して前記音出力機器に出力され、当該音出力機器において再生出力されることとなる。
【００３５】
入力端子６０は、ＣＤプレイヤー、ＭＤプレイヤー等の外部の音記録再生装置の他、マイク等の音入力機器に接続するための端子である。入力端子を介して音入力機器から入力された音信号はＡ／Ｄ変換器１８によってデジタル化された後、データ処理部１７においてファイル化され、記憶部２０に保存されることとなる。或いは、データ処理部１７によってＤ／Ａ変換器１６に出力され、音再生されることとなる。
【００３６】
次に、上記記録再生装置１の動作について説明する。
図３は、録音ファイルを作成する際に記録再生装置１によって実行される録音処理を説明するフローチャートである。
図３に示す録音処理では、ＣＰＵ１１の制御に従って録音を開始する（ステップＳ１）。すなわち、操作部４０における録音開始の指示操作に応じて、Ａ／Ｄ変換器１８において音入力機器から入力された音信号を音データに変換する処理を開始する。この処理は操作部４０において録音終了の指示操作がなされるまで続けられる。
【００３７】
録音を開始すると、表示部３０ではＣＰＵ１１の表示制御に従って、図４に示すような設定画面ｄ１を表示する（ステップＳ２）。この設定画面ｄ１は、録音によって生成される録音ファイルのジャンルの分類情報を設定するためのものである。設定画面ｄ１では、図４に示すように録音ファイルの分類として、４つのジャンル名「ロック」、「クラシック」、「ジャズ」、「ポップ」が選択的に表示されている。
上記設定画面ｄ１において、ユーザは操作部４０を介して、表示された各ジャンル名のうち、録音ファイルのジャンルの分類として最も適したジャンル名の選択操作を行う。
【００３８】
記録再生装置１では、設定画面ｄ１における選択操作に応じて、ＣＰＵ１１においてジャンルの分類情報を生成する（ステップＳ３）。例えば、上記設定画面ｄ１において「クラシック」のジャンル名が選択操作された場合、ＣＰＵ１１はクラシックのジャンルを示すジャンルの分類情報を生成する。
【００３９】
次いで、操作部４０において録音終了の指示操作がなされると（ステップＳ４；Ｙ）、Ａ／Ｄ変換器１８における変換処理を終了し、データ処理部１７では終了までにＡ／Ｄ変換器１８において生成された音データをひとまとまりの音データとしてファイル化する（ステップＳ５）。このとき、ＣＰＵ１１はファイル化された録音ファイルに「ＬＩＮＥ００１」等の録音ファイル名を付与する。
【００４０】
次いで、ＣＰＵ１１ではデータ処理部１７において生成された録音ファイルを記憶部２０に記憶させるとともに、この録音ファイル名とジャンルの分類情報を対応付けて管理テーブル２１に保存させる（ステップＳ６）。
【００４１】
このように保存された録音ファイルを検索する際には、ジャンルの分類情報を用いることが可能である。図５を参照して、記録再生装置１においてジャンルの分類情報を用いた検索処理を説明する。以下の説明では、「クラシック」のジャンルの分類情報を設定した録音ファイルを検索する場合を説明する。
【００４２】
図５に示す検索処理では、まず表示部３０においてＣＰＵ１１の制御により図６（ａ）に示すような選択画面ｄ２１を表示する。選択画面ｄ２１では、録音ファイル名の一覧から目的の録音ファイルを検索する「録音ファイル」の項目の他、録音ファイルが格納されているフォルダから検索する「フォルダ」の項目、ジャンルの分類から検索が可能な「ジャンル」の項目が表示されている。ユーザはジャンルの分類により目的の録音ファイルを探すため、「ジャンル」の項目の選択操作を行う。
【００４３】
設定画面ｄ２１において「ジャンル」の項目が選択操作されると（ステップＳ１１）、表示部３０では図６（ｂ）に示す選択画面ｄ２２を表示する（ステップＳ１２）。選択画面ｄ２２ではジャンル名が一覧表示されている。ユーザはこの選択画面ｄ２２において目的の録音ファイルのジャンルであるクラシックに対応するジャンル名「クラシック」を選択操作する。
【００４４】
「クラシック」の項目が選択されると、ＣＰＵ１１では管理テーブル２１を参照し、クラシックのジャンルの分類情報に対応する録音ファイル名を取得する。また、記憶部２０内に記憶されている他の音ファイルの付加情報を参照し、「クラシック」のジャンル名を持つ音ファイルのファイル名を取得する。そして、ＣＰＵ１１は図６（ｃ）に示すような選択画面ｄ２３を表示部３０上に表示させ、この選択画面ｄ２３において、取得した録音ファイル名を選択的に一覧表示させる（ステップＳ１３）。
【００４５】
図６（ｃ）に示す選択画面ｄ２３において、「トラックＢ」、「トラックＥ」は「クラシック」のジャンルの付加情報を有する音ファイルのトラック名であり、「ＬＩＮＥ００２」、「ＬＩＮＥ００３」は「クラシック」のジャンルの分類情報を有する録音ファイルのファイル名である。
ユーザは、目的の録音ファイルのファイル名の選択操作を行えばよい。
【００４６】
以上のように、本実施形態によれば、録音ファイルを生成する際に、その録音ファイルの分類を示すジャンルの分類情報を生成し、当該ジャンルの分類情報を録音ファイルに対応付けて保存する。これにより、後に記憶部２０内の録音ファイルを検索する際には、ジャンルの分類情報を元に検索範囲を絞ることができ、ユーザに選択させるため一覧表示する録音ファイル数の減少を図ることができる。従って、目的の録音ファイルをユーザが選択しやすくすることができ、録音ファイルの検索性を向上させることができる。
【００４７】
また、ジャンルの分類情報を元に録音ファイルを検索可能とすることにより、ユーザは目的の録音ファイルの内容から直感的に検索を行うことが可能となり、より検索しやすいものとなる。
【００４８】
なお、上記実施形態に係る説明は本発明を適用した好適な一例であり、これに限定されない。
例えば、上述した説明では、録音中にジャンルの分類情報の設定を行う例を説明したが、録音ファイルの生成にあたってジャンルの分類情報を設定することができるのであれば、録音後や録音前に行うこととしてもよい。
【００４９】
録音前に設定する場合を例に説明する。この場合、図７（ａ）に示す設定画面ｄ３１を表示部３０に表示する。ここで、ユーザにより「設定」の項目が選択操作されると、図７（ｂ）に示す設定画面ｄ３２を表示する。この設定画面ｄ３２において、「録音ジャンル」の項目は録音ファイルのジャンルの分類情報の設定を行う項目である。「録音ジャンル」の項目がユーザにより選択操作されると、図７（ｃ）に示す設定画面ｄ３３を表示部３０に表示し、ジャンル名を選択的に表示する。ＣＰＵ１１ではこの設定画面ｄ３３において選択されたジャンル名を示すジャンルの分類情報を生成する。ジャンルの設定が終了すると、録音開始操作に応じて録音を開始し、録音によって生成された録音ファイルに前記生成されたジャンルの分類情報が対応付けて記憶されるのは、上記実施形態と同様である。
【００５０】
また、上記実施形態では分類情報としてジャンルの例を示したが、これに限らない。例えば、選択的に表示させることができるのであれば、最近追加した曲、年代等の分類であってもよい。また、アーティスト等の分類としてもよい。この場合、ユーザがよく聞くアーティストを登録した登録ファイルを備えておき、アーティストの分類情報を設定する際にはこの登録ファイルのアーティスト名の一覧を表示させて選択させればよい。
【００５１】
さらに、管理テーブル２１を設けたが、録音ファイルのヘッダ領域に分類情報を書き込む等して付加させることとしてもよい。
また、分類情報を階層化することとしてもよい。例えば、図８に示すにように、ジャンルという分類の中でも大分類「クラシック」と小分類「モーツァルト」、「バッハ」に分け、階層的に分類することとしてもよい。この場合、図８に示すように例えばファイル名「ＬＩＮＥ００２」の録音ファイルであれば、分類情報として分類１「クラシック」、分類２「モーツァルト」の情報が対応付けられる。
別の例としては、「交響曲」や「オペラ」等の分類も挙げられる。また、ジャズやロックであれば、「年代」や「楽器」による小分類でもよい。
【００５２】
また、分類毎にフォルダを作成し、各録音ファイルをその分類に応じたフォルダに格納する場合、各フォルダに分類情報を対応付けて記憶部２０に記憶させることとしてもよい。各フォルダには、対応付けられた分類情報に一致する分類情報を有する録音ファイルを格納させる。
【図面の簡単な説明】
【００５３】
【図１】本実施形態に係る記録再生装置の構成を示す図である。
【図２】図１の記憶部に記憶されている管理テーブルの一例を示す図である。
【図３】記録再生装置により実行される録音処理を説明するフローチャートである。
【図４】録音処理において表示される設定画面の一例を示す図である。
【図５】記録再生装置により実行される検索処理を説明するフローチャートである。
【図６】検索処理において表示される選択画面の一例を示す図である。
【図７】録音前に分類情報を設定する際に表示される設定画面の一例を示す図である。
【図８】管理テーブルの他の例を示す図である。
【図９】付加情報を有する音ファイルの検索時に表示される選択画面例を示す図である。
【符号の説明】
【００５４】
１  記録再生装置
１０  制御部
１１  ＣＰＵ
１６  Ｄ／Ａ変換器
１７  データ処理部
１８  Ａ／Ｄ変換器
２０  記憶部
３０  表示部
４０  操作部
５０  出力端子
６０  入力端子
【図１】
2008108060.tif 000003
【図２】
2008108060.tif 000004
【図３】
2008108060.tif 000005
【図４】
2008108060.tif 000006
【図５】
2008108060.tif 000007
【図６】
2008108060.tif 000008
【図７】
2008108060.tif 000009
【図８】
2008108060.tif 000010
【図９】
2008108060.tif 000011